(57)【要約】【課題】本発明の目的は、記録ヘッドのクリーニング性が良好で、かつ表裏の濃度バランスに優れたインクジェット捺染用インクとそれを用いたインクジェット記録方法を提供することにある。【解決手段】少なくとも反応性染料、水及び水溶性有機溶媒を含有するインクジェット捺染用インクにおいて、該水溶性有機溶媒の少なくとも１種が、１，２−アルカンジオール類であることを特徴とするインクジェット捺染用インク。【選択図】        なし【特許請求の範囲】
【請求項１】
少なくとも反応性染料、水及び水溶性有機溶媒を含有するインクジェット捺染用インクにおいて、該水溶性有機溶媒の少なくとも１種が、１，２−アルカンジオール類であることを特徴とするインクジェット捺染用インク。
【請求項２】
前記１，２−アルカンジオール類が、全インク質量に対して３〜２０質量％含有することを特徴とする請求項１に記載のインクジェット捺染用インク。
【請求項３】
少なくとも反応性染料、水及び水溶性有機溶媒を含有するインクジェット捺染用インクにおいて、該水溶性有機溶媒の少なくとも１種が、アルキル置換されたプロパンジオール類であることを特徴とするインクジェット捺染用インク。
【請求項４】
前記アルキル置換されたプロパンジオール類が、全インク質量に対して３〜２０質量％含有することを特徴とする請求項３に記載のインクジェット捺染用インク。
【請求項５】
少なくとも反応性染料、水及び水溶性有機溶媒を含有するインクジェット捺染用インクにおいて、該水溶性有機溶媒の少なくとも１種が、アルキル置換されたブタンジオール類であることを特徴とするインクジェット捺染用インク。
【請求項６】
前記アルキル置換されたブタンジオール類が、全インク質量に対して３〜２０質量％含有することを特徴とする請求項５に記載のインクジェット捺染用インク。
【請求項７】
少なくとも反応性染料、水及び水溶性有機溶媒を含有するインクジェット捺染用インクにおいて、該水溶性有機溶媒の少なくとも１種が、アルキル置換されたペンタンジオール類であることを特徴とするインクジェット捺染用インク。
【請求項８】
前記アルキル置換されたペンタンジオール類が、全インク質量に対して３〜２０質量％含有することを特徴とする請求項７に記載のインクジェット捺染用インク。
【請求項９】
少なくとも反応性染料、水及び水溶性有機溶媒を含有するインクジェット捺染用インクにおいて、該水溶性有機溶媒の少なくとも１種が、アルキル置換されたヘキサンジオール類であることを特徴とするインクジェット捺染用インク。
【請求項１０】
前記アルキル置換されたヘキサンジオール類が、全インク質量に対して３〜２０質量％含有することを特徴とする請求項９に記載のインクジェット捺染用インク。
【請求項１１】
セルロース繊維を主体とする布帛に、請求項１〜１０のいずれか１項に記載のインクジェット捺染用インクを用いて記録することを特徴とするインクジェット記録方法。
【請求項１２】
記録後に加熱処理をすることを特徴とする請求項１１に記載のインクジェット記録方法。
【請求項１３】
記録後に水洗処理をすることを特徴とする請求項１１または１２に記載のインクジェット記録方法。
【請求項１４】
ノズル径が１０μｍ〜１００μｍのインクジェットヘッドを用いて記録することを特徴とする請求項１１〜１３のいずれか１項に記載のインクジェット記録方法。
【請求項１５】
インク飛翔時の液滴体積が、５ｐｌ〜１５０ｐｌであることを特徴とする請求項１１〜１４のいずれか１項に記載のインクジェット記録方法。
【発明の詳細な説明】
【０００１】
【発明の属する技術分野】
本発明は、インクジェット方法による布帛、特にセルロースを主体とする布帛に捺染するに適した新規の反応性染料を用いたインクジェット捺染用インクとそれを用いたインクジェット記録方法に関する。
【０００２】
【従来の技術】
インクジェット方式による画像の印刷方法は、インクの微小液滴をインクジェット記録ヘッドより飛翔させ、対象となる記録媒体に付着させて印刷を行う方法である。インクジェット方式は、その機構が比較的簡便で、安価であり、かつ高精細で高品位な画像を形成できることが利点である。
【０００３】
このインクジェット方式の利点を生かして、布帛への画像印字、いわゆるインクジェット捺染についても開発が進められている。インクジェット捺染は、従来の捺染とは異なり、版を作製する必要がなく、手早く階調性に優れた画像を形成できる利点を有している。更に、形成画像として必要な量のインクのみを使用するため、従来方法に比較すると廃液が少ない等の環境的利点も有する優れた画像形成方法であるといえる。
【０００４】
上記インクジェット捺染の中でも、セルロースを主体とする布帛への画像形成方法として、反応性染料を用いる方法が提案されている（例えば、特許文献１及び２参照。）。
【０００５】
インクジェット捺染の場合の重要な特性としては、その印刷物の画質として高濃度の発色ができること、画像の滲みがないことが挙げられ、インクとしては目詰まりなどの発生がなく、安定に出射できること、長期間保存しておいても安定であることが挙げられる。インクジェット捺染の場合には、特に、その中でも高濃度の発色が重要であるが、紙等を印刷対象としたインクジェット記録方法に比べて、布帛へ印字する場合には、画像濃度が出にくいという課題を有している。
【０００６】
特に、布帛に画像形成するインクジェット捺染方法では、その適用分野によっては、布帛表面からだけでなく、表裏面のプリント画像に対して、十分な濃度を付与させることが要望される。
【０００７】
インクジェット捺染方式において高濃度の画像が得にくい理由としては、吐出したインクの布内部への浸透が起こりやすいこと、印字された染料が全て定着されない等に起因している。高い画像濃度を達成する手段としては、使用するインクの染料濃度を濃くする方法が一般的に採られるが、出射時の安定性を損ねたり、インク保存安定性を劣化させる等の問題を有しているため、得られる画像濃度と、安定性を両立するまでには至っていない。
【０００８】
上記課題に対し、安定にインク液滴を出射をするためのインクジェット捺染インク組成に関する様々な提案がなされており、また、出射安定性を改良する方法の１つとして、特定の水溶性有機溶媒を用いたインクが提案されている（例えば、特許文献３参照。）が、安定出射に関して、解決されていないのが現状である。この画像濃度と安定出射は、いずれもインクジェット捺染における重要課題であるが、いまだその両方を満たす解決手段が見出されていないのが現状である。
【０００９】
【特許文献１】
特開昭６１−１７９２７１号公報  （特許請求の範囲）
【００１０】
【特許文献２】
特開昭６１−１７９２６９号公報  （特許請求の範囲）
【００１１】
【特許文献３】
特許第３０５３９２４号明細書  （特許請求の範囲）
【００１２】
【発明が解決しようとする課題】
本発明は、上記課題に鑑みなされたものであり、その目的は、記録ヘッドのクリーニング性が良好で、かつ布帛両面で高濃度の発色が得られるインクジェット捺染用インクとそれを用いたインクジェット記録方法を提供することにある。
【００１３】
【課題を解決するための手段】
本発明の上記目的は、以下の構成により達成される。
【００１４】
１．少なくとも反応性染料、水及び水溶性有機溶媒を含有するインクジェット捺染用インクにおいて、該水溶性有機溶媒の少なくとも１種が、１，２−アルカンジオール類であることを特徴とするインクジェット捺染用インク。
【００１５】
２．前記１，２−アルカンジオール類が、全インク質量に対して３〜２０質量％含有することを特徴とする前記１項に記載のインクジェット捺染用インク。
【００１６】
３．少なくとも反応性染料、水及び水溶性有機溶媒を含有するインクジェット捺染用インクにおいて、該水溶性有機溶媒の少なくとも１種が、アルキル置換されたプロパンジオール類であることを特徴とするインクジェット捺染用インク。
【００１７】
４．前記アルキル置換されたプロパンジオール類が、全インク質量に対して３〜２０質量％含有することを特徴とする前記３項に記載のインクジェット捺染用インク。
【００１８】
５．少なくとも反応性染料、水及び水溶性有機溶媒を含有するインクジェット捺染用インクにおいて、該水溶性有機溶媒の少なくとも１種が、アルキル置換されたブタンジオール類であることを特徴とするインクジェット捺染用インク。
【００１９】
６．前記アルキル置換されたブタンジオール類が、全インク質量に対して３〜２０質量％含有することを特徴とする前記５項に記載のインクジェット捺染用インク。
【００２０】
７．少なくとも反応性染料、水及び水溶性有機溶媒を含有するインクジェット捺染用インクにおいて、該水溶性有機溶媒の少なくとも１種が、アルキル置換されたペンタンジオール類であることを特徴とするインクジェット捺染用インク。
【００２１】
８．前記アルキル置換されたペンタンジオール類が、全インク質量に対して３〜２０質量％含有することを特徴とする前記７項に記載のインクジェット捺染用インク。
【００２２】
９．少なくとも反応性染料、水及び水溶性有機溶媒を含有するインクジェット捺染用インクにおいて、該水溶性有機溶媒の少なくとも１種が、アルキル置換されたヘキサンジオール類であることを特徴とするインクジェット捺染用インク。
【００２３】
１０．前記アルキル置換されたヘキサンジオール類が、全インク質量に対して３〜２０質量％含有することを特徴とする前記９項に記載のインクジェット捺染用インク。
【００２４】
１１．セルロース繊維を主体とする布帛に、前記１〜１０項のいずれか１項に記載のインクジェット捺染用インクを用いて記録することを特徴とするインクジェット記録方法。
【００２５】
１２．記録後に加熱処理をすることを特徴とする前記１１項に記載のインクジェット記録方法。
【００２６】
１３．記録後に水洗処理をすることを特徴とする前記１１または１２項に記載のインクジェット記録方法。
【００２７】
１４．ノズル径が１０μｍ〜１００μｍのインクジェットヘッドを用いて記録することを特徴とする前記１１〜１３項のいずれか１項に記載のインクジェット記録方法。
【００２８】
１５．インク飛翔時の液滴体積が、５ｐｌ〜１５０ｐｌであることを特徴とする前記１１〜１４項のいずれか１項に記載のインクジェット記録方法。
【００２９】
本発明者らは、上記課題に鑑み鋭意研究を行った結果、少なくとも反応性染料、水及び水溶性有機溶媒を含有し、水溶性有機溶媒の少なくとも１種が、１，２−アルカンジオール類、アルキル置換されたプロパンジオール類、アルキル置換されたブタンジオール類、アルキル置換されたペンタンジオール類、またはアルキル置換されたヘキサンジオール類であるインクジェット捺染用インクにより、出射安定性、記録ヘッドのクリーニング性が良好で、かつ布帛両面で高濃度の発色が得られるインクジェット捺染用インクを実現できることを見出し、本発明に至った次第である。
【００３０】
更に、上記構成に加えて、上記の１，２−アルカンジオール類、アルキル置換されたプロパンジオール類、アルキル置換されたブタンジオール類、アルキル置換されたペンタンジオール類、またはアルキル置換されたヘキサンジオール類の全インク質量に対する含有率が、３〜２０質量％であることにより、上記の本発明の目的効果がより一層発揮される。
【００３１】
また、上記構成からなる本発明のインクジェット捺染用インクを用いたインクジェット記録方法として、セルロース繊維を主体とする布帛に画像形成すること、記録後に加熱処理をすること、記録後に水洗処理をすること、ノズル径が１０μｍ〜１００μｍのインクジェットヘッドを用いて記録すること、インク飛翔時の液滴体積が、５ｐｌ〜１５０ｐｌであることにより、出射安定性、記録ヘッドのクリーニング性が良好で、かつ布帛両面で高濃度の発色が得られるインクジェット記録方法を実現できるものである。
【００３２】
以下、本発明の詳細について説明する。
はじめに、本発明のインクジェット捺染用インク（以降、本発明のインクともいう）について、その詳細を説明する。
【００３３】
本発明のインクは、少なくとも反応性染料、水及び水溶性有機溶媒を含有し、水溶性有機溶媒の少なくとも１種が、１，２−アルカンジオール類、アルキル置換されたプロパンジオール類、アルキル置換されたブタンジオール類、アルキル置換されたペンタンジオール類、またはアルキル置換されたヘキサンジオール類であることが特徴である。
【００３４】
本発明に係る１，２−アルカンジオール類としては、特に制限はないが、１，２−ヘキサンジオールまたは１，２−ペンタンジオールが好ましい。
【００３５】
本発明に係る１，２−アルカンジオール類の含有量としては、全インク質量に対して３〜２０質量％含有することが好ましい。含有量が３質量％以下では、本発明が目的とする効果が小さく、また２０質量％を超えると水溶性である反応性染料が析出しやすくなり、特に吐出安定性、クリーニング性を損なうため好ましくない。
【００３６】
また、本発明に係るアルキル置換されたプロパンジオール類としては、例えば、２−ブチル−２−エチル−１，３−プロパンジオール、２，２−ジエチル−１，３−プロパンジオール、２−メチル−ｎ−プロピル−１，３−プロパンジオール、２，２−ジメチル−１，３−プロパンジオール、２，２−ジイソブチル−１，３−プロパンジオール、２−エチル−２−メチル−１，３−プロパンジオール、２−メチル−１，３−プロパンジオール等が挙げられ、その中でも２，２−ジメチル−１，３−プロパンジオールまたは２−メチル−１，３−プロパンジオールが好ましい。
【００３７】
本発明に係るアルキル置換されたプロパンジオール類の含有量としては、全インク質量に対して３〜２０質量％含有することが好ましい。含有量が３質量％以下では、本発明が目的とする効果が小さく、また２０質量％を超えると水溶性である反応性染料が析出しやすくなり、特に吐出安定性、クリーニング性を損なうため好ましくない。
【００３８】
また、本発明に係るアルキル置換されたブタンジオール類としては、特に制限はないが、３−メチル−１，３−ブタンジオールまたは２−メチル−１，４−ブタンジオールが好ましい。
【００３９】
本発明に係るアルキル置換されたブタンジオール類の含有量としては、全インク質量に対して３〜２０質量％含有することが好ましい。含有量が３質量％以下では、本発明が目的とする効果が小さく、また２０質量％を超えると水溶性である反応性染料が析出しやすくなり、特に吐出安定性、クリーニング性を損なうため好ましくない。
【００４０】
また、本発明に係るアルキル置換されたアルキル置換されたペンタンジオール類としては、例えば、２，４−ジメチル−２，４−ペンタンジオール、２，４−ジメチル−１，５−ペンタンジオール、３−メチル−１，５−ペンタンジオール等が挙げられ、その中でも３−メチル−１，５−ペンタンジオールが好ましい。
【００４１】
本発明に係るアルキル置換されたペンタンジオール類の含有量としては、全インク質量に対して３〜２０質量％含有することが好ましい。含有量が３質量％以下では、本発明が目的とする効果が小さく、また２０質量％を超えると水溶性である反応性染料が析出しやすくなり、特に吐出安定性、クリーニング性を損なうため好ましくない。
【００４２】
また、本発明に係るアルキル置換されたヘキサンジオール類としては、特に制限はないが、２，５−ジメチル−２，５−ヘキサンジオール又は２−エチル−１，３−ヘキサンジオールが好ましい。
【００４３】
本発明に係るアルキル置換されたヘキサンジオール類の含有量としては、全インク質量に対して３〜２０質量％含有することが好ましい。含有量が３質量％以下では、本発明が目的とする効果が小さく、また２０質量％を超えると水溶性である反応性染料が析出しやすくなり、特に吐出安定性、クリーニング性を損なうため好ましくない。
【００４４】
本発明のインクにおいては、上記の本発明に係る各水溶性有機溶媒の他に、例えば、多価アルコール類（例えば、グリセリン、テトラエチレングリコール、トリプロピレングリコール、１，２，４−ブタントリオール、トリエチレングリコール、ジエチレングリコール、プロピレングリコール、ジプロピレングリコール、ブチレングリコール等）、アミン類（エタノールアミン、２−（ジメチルアミノ）エタノール等）、一価アルコール類（例えば、メタノール、エタノール、ブタノール等）、多価アルコールのアルキルエーテル類（例えば、ジエチレングリコールモノメチルエーテル、ジエチレングリコールモノブチルエーテル、トリエチレングリコールモノメチルエーテル、エチレングリコールモノメチルエーテル、エチレングリコールモノブチルエーテル、プロピレングリコールモノメチルエーテル、プロピレングリコールモノブチルエーテル、ジプロピレングリコールモノメチルエーテル等）、アミド類（例えば、Ｎ，Ｎ−ジメチルホルムアミド等）、複素環類（例えば、２−ピロリドン等）、アセトニトリル等を併せて用いることができる。その中でも、グリセリン、テトラエチレングリコールが好ましい。
【００４５】
本発明のインクでは、色材として反応性染料を用いることが特徴の１つである。反応性染料としては、アゾ系、キノン系、フタロシアニン系反応性染料等を挙げることができ、本発明で用いることのできる反応性染料の具体的化合物を以下に列挙するが、本発明はこれら例示した化合物に限定されることはない。
【００４６】
〔Ｃ．Ｉ．リアクティブイエロー〕
２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６
〔Ｃ．Ｉ．リアクティブオレンジ〕
１、４、５、７、１１、１２、１３、１５、１６、２０、３０、３５、５６、６４、６７、６９、７０、７２、７４、８２、８４、８６、８７、９１、９２、９３、９５、１０７
〔Ｃ．Ｉ．リアクティブレッド〕
２、３、３：１、５、８、１１、２１、２２、２３、２４、２８、２９、３１、３３、３５、４３、４５、４９、５５、５６、５８、６５、６６、７８、８３、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２６、２２８、２３５
〔Ｃ．Ｉ．リアクティブバイオレット〕
１、２、４、５、６、２２、２３、３３、３６、３８
〔Ｃ．Ｉ．リアクティブブルー〕
２、３、４、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６
〔Ｃ．Ｉ．リアクティブグリーン〕
８、１２、１５、１９、２１
〔Ｃ．Ｉ．リアクティブブラウン〕
２、７、９、１０、１１、１７、１８、１９、２１、２３、３１、３７、４３、４６
〔Ｃ．Ｉ．リアクティブブラック〕
５、８、１３、１４、３１、３４、３９
等が挙げられる。
【００４７】
本発明のインクにおいて、反応性染料の含有量は全インク質量に対して１〜２０質量％であることが好ましく、より好ましくは２〜１８質量％である。
【００４８】
本発明のインクは、その表面張力を調整するために界面活性剤を含有していてもよく、界面活性剤としては陽イオン性、陰イオン性、両性、非イオン性のものを用いることができる。陽イオン性界面活性剤としては、例えば、脂肪族アミン塩、脂肪族４級アミン塩、ベンザルコニウム塩、塩化ベンゼトニウム、ピリジニウム塩、イミダゾリニウム塩等が挙げられる。陰イオン性界面活性剤としては、例えば、脂肪族石鹸、Ｎ−アシル−Ｎ−メチルグリシン塩、Ｎ−アシル−Ｎ−メチル−β−アラニン塩、Ｎ−アシルグルタミン酸塩、アルキルエーテルカルボン酸塩、アシル化ペプチド、アルキルスルホン酸塩、アルキルベンゼンスルホン酸塩、アルキルナフタレンスルホン酸塩、ジアルキルスルホコハク酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテル燐酸エステル塩、アルキルリン酸エステル塩等が挙げられる。また、両性界面活性剤としては、例えば、カルボキシベタイン型、スルホベタイン型、アミノカルボン酸型、イミダゾリウムベタイン等が挙げられる。また、非イオン性界面活性剤としては、例えば、ポリオキシエチレンアルキルエーテル、ポリオキシエチレン２級アルコールエーテル、ポリオキシエチレンアルキルフェニルエーテル、ポリオキシチレンステロールエーテル、ポリオキシエチレンラノリン誘導体、ポリオキシエチレンポリオキシエチレンアルキルエーテル、ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール及びそのエチレンオキサイド付加物、アセチレンアルコール等が挙げられる。
【００４９】
これらの各界面活性剤を用いる場合、単独又は２種類以上を混合して用いることができ、インク全質量に対して０．００１〜５質量％の範囲で添加することが本発明のインクジェット捺染用インクには、吐出安定性、インクジェット記録ヘッドやカートリッジへの適合性、保存安定性、その他諸性能向上を目的としてそれぞれの目的に適合する粘度調整剤、防腐剤、防かび剤、防さび剤、ｐＨ調整剤、染料溶解助剤、金属キレート剤等を添加することもできる。
【００５０】
本発明のインクジェット記録方法においては、用いる布帛としてはセルロース繊維を主体とするものが好ましく、それらにはインク受容層が設けられていてもよい。インク受容層としては、水溶性樹脂が挙げられ、例えば、ポリビニルアルコール誘導体、セルロース誘導体が好ましい。インク受容層には、尿素、アルカリ化合物が含まれていてもよく、アルカリ化合物としては有機アルカリ化合物、無機アルカリ化合物が挙げられる。
【００５１】
吐出されたインクジェット捺染用インクにより、画像が布帛上に形成されるが、そのままでは布帛に対する染料の染着が不十分であるため、熱処理による染料の繊維への定着処理を行うことが好ましい。熱処理の方法としては、従来公知の方法を用いることができ、インクを布帛に吐出した後に布帛を８０〜１７０℃に加熱する工程としては、例えば、（１）記録装置の被記録体送りローラーの内部に発熱ヒーターを組込み、布帛を加熱する方法、（２）記録装置の被記録体送りローラーと布帛との間に発熱ヒーターを組み込んだ固定プラテンを設置する方法、（３）記録ヘッドに隣接して発熱源ランプを設置し、記録後に記録面側より発熱源ランプを照射する方法、（４）記録後に発熱ヒーター等により布帛を加熱する方法等が挙げられ、これらの方法を組み合わせることも可能である。
【００５２】
本発明のインクジェット記録方法においては、更に未定着の反応性染料を除去する目的で、水洗処理を施すことが好ましく、水洗処理の方法としては、従来公知の水洗法、ソービング法を用いることができる。
【００５３】
本発明のインクジェット記録方法に用いられるインクジェット記録ヘッドとしては、特に制限はなく、サーマル型、ピエゾ型のいずれも用いることができる。
【００５４】
本発明に用いられるインクジェット記録ヘッドのノズル径としては、形成される画像の鮮鋭性の観点から１００μｍ以下が好ましく、また不溶物によるノズル目詰まり耐性の観点から１０μｍ以上であることが好ましく、より好ましくは１０μｍ以上、５０μｍ以下である。
【００５５】
本発明のインクジェット記録方法において、インク飛翔時の液滴体積としては、ヘッド近傍の気流の影響を受けにくくする観点から５ｐｌ以上が好ましく、また印字画像の粒状性の観点から１５０ｐｌ以下であることが好ましく、より好ましくは５〜８０ｐｌである。
【００５６】
【実施例】
以下、本発明の実施例を挙げて説明するが、本発明はこれらの例に限定されるものではない。
【００５７】
実施例１
《インクの調製》
〔イエローインクＹ−１の調製〕
下記各添加剤を順次混合して、十分に攪拌した後、細孔径０．８０μｍメンブランフィルターを用いてろ過してイエローインクＹ−１を調製した。
【００５８】
Ｃ．Ｉ．リアクティブイエロー９５（Ｒ．Ｙ．９５）      １５．０質量％
エチレングリコール（ＥＧ）                            ２０．０質量％
グリセリン（Ｇｌｙ）                                    ５．０質量％
１，２−ヘキサンジオール（Ｓｏｌｖ．１）                ５．０質量％
プロキセルＧＸＬ（Ｐｒｘ  アビシア株式会社製）          ０．１質量％
イオン交換水                                          ５４．９質量％
〔イエローインクＹ−２〜Ｙ−８、マゼンタインクＭ−１〜Ｍ−１１、シアンインクＣ−１〜Ｃ−１１及びブラックインクＢｋ−１〜Ｂｋ−７の調製〕
上記イエローインクＹ−１の調製において、反応性染料の種類と濃度、水溶性有機溶媒の種類と濃度比、及びその他の添加剤を表１、２に記載の様に変更した以外は同様にして、イエローインクＹ−２〜Ｙ−８、マゼンタインクＭ−１〜Ｍ−１１、シアンインクＣ−１〜Ｃ−１１及びブラックインクＢｋ−１〜Ｂｋ−７を調製した。
【００５９】
以上により調製した各インクの構成を表１、２に示す。なお、表１、２に記載の各略称の詳細は、以下の通りである。
【００６０】
Ｒ．Ｙ．８４：Ｃ．Ｉ．リアクティブイエロー８４
Ｒ．Ｙ．９５：Ｃ．Ｉ．リアクティブイエロー９５
Ｒ．Ｙ．１０５：Ｃ．Ｉ．リアクティブイエロー１０５
Ｒ．Ｒ．２４：Ｃ．Ｉ．リアクティブレッド２４
Ｒ．Ｒ．５８：Ｃ．Ｉ．リアクティブレッド５８
Ｒ．Ｒ．１１４：Ｃ．Ｉ．リアクティブレッド１１４
Ｒ．Ｂ．７１：Ｃ．Ｉ．リアクティブブルー７１
Ｒ．Ｂ．７２：Ｃ．Ｉ．リアクティブブルー７２
Ｒ．Ｂ．２３６：Ｃ．Ｉ．リアクティブブルー２３６
Ｒ．Ｂｋ．５：Ｃ．Ｉ．リアクティブブラック５
Ｒ．Ｂｋ．３１：Ｃ．Ｉ．リアクティブブラック３１
ＥＧ：エチレングリコール
ＤＥＧ：ジエチレングリコール
Ｇｌｙ：グリセリン
ＴｅｔｒａＥＧ：テトラエチレングリコール
Ｓｏｌｖ．１：１，２−ヘキサンジオール
Ｓｏｌｖ．２：１，２−ペンタンジオール
Ｓｏｌｖ．３：２，２−ジメチル−１，３−プロパンジオール
Ｓｏｌｖ．４：２−メチル−１，３−プロパンジオール
Ｓｏｌｖ．５：３−メチル−１，３−ブタンジオール
Ｓｏｌｖ．６：２−メチル−１，４−ブタンジオール
Ｓｏｌｖ．７：２，４−ジメチル−２，４−ペンタンジオール
Ｓｏｌｖ．８：２，４−ジメチル−１，５−ペンタンジオール
Ｓｏｌｖ．９：３−メチル−１，５−ペンタンジオール
Ｓｏｌｖ．１０：２，５−ジメチル−２，５−ヘキサンジオール
Ｓｏｌｖ．１１：２−エチル−１，３−ヘキサンジオール
Ｓ４６５：エアプロダクツ社製  界面活性剤サーフィノール４６５
Ｌ−６２：旭電化社製  界面活性剤プルロニックＬ−６２
Ｐｒｘ：アビシア社製  プロキセルＧＸＬ
また、表１、２に記載の数値は、全インク質量における各成分の質量％を表す。
【００６１】
【表１】
2004292523.tif 000002
【００６２】
【表２】
2004292523.tif 000003
【００６３】
《プリント画像の形成及び評価》
〔布の前処理〕
シルケット加工した綿布（１５０ｇ／ｍ２）に、２０ｇ／Ｌのアルギン酸ナトリウム、３０ｇ／Ｌの炭酸ナトリウム及び１００ｇ／Ｌの尿素を含む液体をパッド塗布（絞り率：７０％）した後、乾燥した。
【００６４】
〔プリント〕
上記調製した各インクを用いて、インクジェットプリンタＮａｓｓｅｎｇｅｒＫＳ−１６００ＩＩ（コニカ社製）に、ノズル直径４５μｍ、駆動周波数５ｋＨｚ、ノズル数６４のピエゾ型ヘッドを用いて、上記前処理した綿布上に各色ベタ画像をプリントした。
【００６５】
〔定着処理〕
上記プリントした綿布を、２５℃、相対湿度５０％の環境下で２４時間放置した後、１０３℃の飽和蒸気中で１２分間の定着処理を行い、次いで、冷水で５分、６５℃の温水で５分間水洗した後、ソーピング剤を用いて８５℃で煮沸して洗い、再度６５℃の温水で５分すすぎ、そして冷水で５分すすいだ後、乾燥して、定着処理を行った。
【００６６】
〔プリント画像の評価〕
（プリント画像の表裏濃度の評価）
未プリントの布をプリント布と同様の定着処理を行い、２０枚重ねた上にプリント布をおき、Ｘ−ｒｉｔｅ  ９３８  Ｓｐｅｃｔｏｒｏｄｅｎｓｉｔｍｅｔｅｒを用いて、レスポンスＴにおけるビジブル濃度を測定し、以下の評価基準に則り表裏濃度の評価を行った。
【００６７】
○：裏面から測定したビジブル濃度／表面から測定したビジブル濃度の値が、０．６５以上である
△：裏面から測定したビジブル濃度／表面から測定したビジブル濃度の値が、０．５５以上、０．６５未満である
×：裏面から測定したビジブル濃度／表面から測定したビジブル濃度の値が、０．５５未満である
（クリーニング性の評価）
２５℃、相対湿度５０％の環境下で、各インクが充填されたヘッドをキャップなしで４０分放置し、ヘッド部のクリーニングを行った後、再出射してその時の出射性を観察し、下記の基準に則りクリーニング性の評価を行った。
【００６８】
○：クリーニング３回以内で、６４の全ノズルが正常に出射した
△：クリーニング３回以内で、１〜２個のノズルで僅かに欠射が見られるが、実用上許容の範囲にある
×：クリーニングを３回行っても、明らかな欠射が認められる
以上により得られた各評価結果を、表３に示す。
【００６９】
【表３】
2004292523.tif 000004
【００７０】
表３より明らかなように、本発明に係る水溶性有機溶媒構成からなるインクは、比較例に対し、印字した綿布の表裏濃度のバランスに優れ、かつインクジェットヘッドでのクリーニング性に優れていることが分かる。
【００７１】
【発明の効果】
本発明により、記録ヘッドのクリーニング性が良好で、かつ表裏の濃度バランスに優れたインクジェット捺染用インクとそれを用いたインクジェット記録方法を提供することができた。